(57)【要約】      （修正有）【課題】二重構造屋根にソーラーパネルを設置するための、ソーラーパネルを支持するソーラーパネル設置用ベース板の支承金具を提供する。【解決手段】波板スレート屋根上に、その波板スレート屋根の突面上に位置する断面台形状をしたカバー部９を平板部１０を介して連続して形成したカバールーフ８を取り付けた二重構造屋根に使用されるソーラーパネル設置用のベース板を支承するための金具１であって、前記したカバールーフ８の隣接するカバー部９を跨いで架設され、断面をカバー部９の側面と沿う略台形状とし、中央部位に受金具１２を固着するボルト挿通用の長孔を設け、前記カバー部９と対応する部位には、カバー部９、波板の突面を貫通し、既存母屋材に当該金具１を固定するためのネジ挿通孔が設けられていることとする。【選択図】図５
0003181079.tif 000002
【実用新案登録請求の範囲】
【請求項１】
波板スレート屋根上に、その波板スレート屋根の突面上に位置する断面台形状をしたカバー部を平板部を介して連続して形成したカバールーフを取り付けた二重構造屋根に使用されるソーラーパネル設置用のベース板を支承するための金具であって、前記したカバールーフの隣接するカバー部を跨いで架設され、断面をカバー部の側面と沿う略台形状とし、中央部位に受金具を固着するボルト挿通用の長孔を設け、前記カバー部と対応する部位には、カバー部、波板の突面を貫通し、既存母屋材に当該金具を固定するためのネジの挿通孔が設けられていることを特徴とするソーラーパネル設置用ベース板の支承金具。
【請求項２】
前記した長孔及びネジ挿通孔は長手方向に沿った中心線に直線上に配置されていることを特徴とする請求項１に記載のソーラーパネル設置用ベース板の支承金具。
【請求項３】
前記した長孔は小判状に形成されていることを特徴とする請求項１または２に記載のソーラーパネル設置用ベース板の支承金具。
【請求項４】
前記した長孔及びネジ挿通孔が形成される部位は、断面略コ字状に外方へ突出され、補強が施されていることを特徴とする請求項１から３のうち１項に記載のソーラーパネル設置用ベース板の支承金具。
【考案の詳細な説明】
【技術分野】
【０００１】
本考案はソーラーパネル設置用ベース板の支承金具に関し、特に、基礎金具となるＣ字鋼バー材上に波板スレートを葺き、その上にカバールーフを葺いた二重構造屋根にあって、ソーラーパネルを設置するため、そのベース板を支承するための支承金具に関する。
【背景技術】
【０００２】
ソーラーパネルを目的個所に設置するには、そのソーラーパネルのモジュールを支持するためのベース板が必要とされる。現在、ソーラーパネルは建造物の屋根上に設置することが広く実施されており、高効率を得ているが、上記したように二重構造屋根にあっては、ベース板を支承するための構成が開発されておらず、そのため、ソーラーパネルを設置することを断念するか、既設の二重構造屋根を取り外し、他の構造へ変更しなければならないという煩わしさがあった。
【０００３】
この二重構造はカバールーフを波板スレートに重ねることで、より段差を設けて防水性を高め台風時等の横風、強風に対する強度を持たせ、カバールーフと波板スレートの間の溝部分は通気性をよくしてあるので断熱効果も得ることができることとなる。
【先行技術文献】
【特許文献】
【０００４】
出願人は、本願考案に係るソーラーパネル設置用ベース板の支承金具について、先行する技術文献を調査したが、本考案と関連し、類似すると思われる文献は発見できなかった。
【考案の概要】
【考案が解決しようとする課題】
【０００５】
本考案が解決しようとする問題点は、現在、二重構造屋根にソーラーパネルを設置するために、そのソーラーパネルを支持するためのベース板を取り付けるための構造が存在していないという点である。
【課題を解決するための手段】
【０００６】
この問題点を解決するために、本考案に係るソーラーパネル設置用ベース板の支承金具は波板スレート屋根上に、その波板スレート屋根の突面上に位置する断面台形状をしたカバー部を平板部を介して連続して形成したカバールーフを取り付けた二重構造屋根に使用されるソーラーパネル設置用のベース板を支承するための金具であって、前記したカバールーフの隣接するカバー部を跨いで架設され、断面をカバー部の側面と沿う略台形状とし、中央部位に受金具を固着するボルト挿通用の長孔を設け、前記カバー部と対応する部位には、カバー部、波板の突面を貫通し、既存母屋材に当該金具を固定するためのネジ挿通孔が設けられていることを特徴としている。
【０００７】
また、本考案に係るソーラーパネル設置用ベース板の支承金具は前記した長孔及びネジ挿通孔は長手方向に沿った中心線に直線上に配置されていることを特徴としている。
【０００８】
さらに、本考案に係るソーラーパネル設置用ベース板の支承金具は前記した長孔は小判状に形成されていることを特徴としている。
【０００９】
そして、本考案に係るソーラーパネル設置用ベース板の支承金具は前記した長孔及びネジ挿通孔が形成される部位は、断面略コ字状に外方へ突出され、補強が施されていることを特徴としている。
【考案の効果】
【００１０】
本考案に係るソーラーパネル設置用ベース板の支承金具は上記のように構成されている。そのため、カバールーフや波板スレートの有する凹凸を金具自体で吸収し、二重構造屋根の利点を生かしながら、強固にそのカバールーフ上にソーラーパネルを設置するためのベース板を支承することができることとなる。
【図面の簡単な説明】
【００１１】
【図１】本考案を実施した支承金具を示す正面図である。
【図２】平面図である。
【図３】側面図である。
【図４】図２中のＡ矢視断面図である。
【図５】使用状態を示す正面図である。
【図６】側面図である。
【図７】受金具の正面図である。
【図８】側面図である。
【考案を実施するための形態】
【００１２】
図面として示し、実施例で説明したように構成したことで実現した。
【実施例１】
【００１３】
次に、本考案の好ましい実施の一例を図面を参照して説明する。これらの図にあって１は本考案を実施した支承金具を示している。この支承金具１は鋼板で成形され、防錆のため亜鉛メッキ仕上げが施されたものとなっており、全体として長方形の板状となっており、その短手側となる両端は後述するカバールーフのカバー部の外側面と合致して沿うように屈曲され、正背面から見ると略台形状となっている。本実施例ではその屈曲角度は内角で１１０度を想定している。
【００１４】
この支承金具１の長手方向に沿った中央部分は略断面コ字状に外方へ突出された突出部２となっており、補強処理がなされている。本実施例ではこの突出部２の突出寸法は４ｍｍを想定している。この突出部２の中央部位には、支承金具１の長手方向に沿って長寸とした小判状の長孔３が設けられ、また、この長孔３と中心線を直線上としたネジ挿通孔４、４が設けられている。このネジ挿通孔４、４の位置は後述するカバールーフのカバー部頂面と対応する部位とされている。ここで長孔３を設けてあるのは後述するボルト挿通位置をアジャストすることができるようにするためである。
【００１５】
ここで、上記した構成の支承金具１の実際の使用態様を図５乃至図８を用いて説明する。図中５は既存母屋材であるＣ字鋼バーを示しており、屋根の傾斜方向と直交させて、適宜間隔で設置されている。尚、図６は屋根の傾斜を示すため、故意に傾けて表わしている。このＣ字鋼バー５、５上には波板スレート６が取り付けられている。この取り付け方向性は幅方向（波形方向）がＣ字鋼バー５、５と沿うものとし、このＣ字鋼バー５、５とは波板スレート６の突部頂面からフックボルト７により連結固定されており、この波板スレート６は、その幅方向（波形方向）の端部で部分重合する構成となっている。
【００１６】
一方、図中８は波板スレート６上に配置されるカバールーフを示しており、このカバールーフ８は鋼製、それもカルバリューム製のものとなっている。このカバールーフ８は、波板スレート６の突面上に位置する、断面台形状をしたカバー部９、９‥を有し、そのカバー部９、９‥間を平板部１０、１０‥で一体に連結した構造となっている。
【００１７】
支承金具１は、隣接するカバー部９、９の上面を跨いで架設される。その架設状態でネジ挿通孔４、４に上方から、カバー部９及び波板スレート６の突面を貫通してネジ１１、１１が挿通され、その下端はＣ字鋼バー５に止着され、固定される。尚、カバー部９の台形形状と、支承金具１の両端屈曲角度は密に当接する同一角度とされている。
【００１８】
このネジ１１による止着にあって、支承金具１の上面にはネジ挿通孔４、４と対応して座金とパッキンが介在され、締着力を高めている。
【００１９】
また、支承金具１の長孔３に対応する上面には、受金具１２が設置される。この受金具１２は断面が上向きコ字状をしており、内面側には後述する架台を受けるブラケット１５、１５が対向して突出されており、このブラケット１５、１５上に載置された架台１４を外側からビス１６、１６で固定するものとなっている。
【００２０】
この受金具１２は支承金具１の下方からボルト１３を長孔３に挿通して止着固定される。このボルト１３の長孔３への挿通は、その挿通位置を長孔３としてあることによってアジャストすることができ、ボルト１３の先端は受金具１２のブラケット１５、１５の頂面以内に収められる。尚、受金具１２は各メーカーによって種々の構成のものがある。
【００２１】
さらに、図中１４はソーラーパネルのモジュールが固定されるための架台（ベース板）であり直方形をしており、この架台１４の底面は受金具１２のブラケット１５、１５上に当接設置され、受金具１２の外側方からビス１６、１６によって位置決め固定されることとなる。
【産業上の利用可能性】
【００２２】
本実施例に係るソーラーパネル設置用ベース板の支承金具は上記のように構成されている。実施例や図面において示した数値あるいは材料はこれに限定されるものではなく、必要に応じて変更採択されるものであることは勿論である。尚、実施例は架台を母屋材Ｃ字鋼バーに対し、直交方向に設置する縦置き方式を示しているが、平行となる横置き方式も勿論可能であり、母屋材の設置方向によってもこの構成は随時に選択される。
【符号の説明】
【００２３】
１    支承金具
２    突出部
３    長孔
４    ネジ挿通孔
５    Ｃ字鋼バー
６    波板スレート
７    フックボルト
８    カバールーフ
９    カバー部
１０  平板部
１１  ネジ
１２  受金具
１３  ボルト
１４  架台
１５  ブラケット
１６  ビス
【図１】
0003181079.tif 000003
【図２】
0003181079.tif 000004
【図３】
0003181079.tif 000005
【図４】
0003181079.tif 000006
【図５】
0003181079.tif 000007
【図６】
0003181079.tif 000008
【図７】
0003181079.tif 000009
【図８】
0003181079.tif 000010